(57)【要約】【課題】  所定の場合に画像形成部を送風部により冷却することにより、原稿の画像を読み取るときに画像形成部から画像読取部への熱の伝導を抑制して画像読取部の温度の上昇を抑えて、画像読取部内に配置された電子部品などの劣化を抑制することができる複合機を提供する。【解決手段】複合機は、原稿の画像を読み取る画像読取部、画像読取部に隣接して配置され、冷却用の送風部を備え、記録紙に画像を形成する画像形成部、画像形成部による記録紙への画像の形成に関連する所定の条件が充足していると判断した場合に送風部を稼働させながら画像読取部に原稿の画像を読み取らせる制御部を備える。【選択図】  図３
2015170940.tif 000002
【特許請求の範囲】
【請求項１】
原稿の画像を読み取る画像読取部、
前記画像読取部に隣接して配置され、冷却用の送風部を備え、記録紙に画像を形成する画像形成部、
前記画像形成部による記録紙への画像の形成に関連する所定の条件が充足していると判断した場合に、前記送風部を稼働させながら前記画像読取部に原稿の画像を読み取らせる制御部を、
備えることを特徴とする複合機。
【請求項２】
請求項１記載の複合機は、
計数部を更に備え、
前記所定の条件は、前記計数部に数値が設定されていることである。
【請求項３】
請求項２に記載の複合機において、
記録紙への画像の形成が所定数以上の場合、前記制御部は前記計数部に数値を追加する。
【請求項４】
請求項２に記載の複合機において、
記録紙への画像の形成が所定時間以上の場合、前記制御部は前記計数部に数値を追加する。
【請求項５】
請求項３に記載の複合機は、
前記画像形成部が所定数以上の記録紙に画像を形成したときから時間の計時を開始する計時部と、前記計時部が計時した時間に対応する数値を記憶している記憶部を更に備え、
前記制御部は、前記記憶部を参照して前記計時部が計時した時間に対応する数値を前記計数部に追加する。
【請求項６】
請求項４に記載の複合機は、
前記画像形成部が所定時間以上記録紙に画像を形成したときから時間の計時を開始する計時部と、前記計時部が計時した時間に対応する数値を記憶している記憶部を更に備え、
前記制御部は、前記記憶部を参照して前記計時部が計時した時間に対応する数値を前記計数部に追加する。
【請求項７】
請求項１から６のいずれか１項に記載の複合機において、
前記画像読取部と前記画像形成部が稼働していない場合に前記制御部は前記計数部の数値を減少させる。
【発明の詳細な説明】
【技術分野】
【０００１】
本発明は、画像読取機能と画像形成機能を備える複合機に関する。
【背景技術】
【０００２】
従来の画像読取機能と画像形成機能を備える複合機において、印刷終了後の次の印刷ジョブに素早く対応するため、印刷後の一定時間はトナーを記録紙に定着させるための定着器のヒータを予熱していた。この予熱時には定着器のヒータを冷却する送風機を停止させ、ヒータ周辺の温度が下がらないようにしていた。
【０００３】
連続的に印刷を行った場合、画像形成部の定着ローラ内に配置されたヒータの発熱により画像形成部内の温度が上昇する。また原稿の画像の読取を連続的に行った場合、原稿の画像の読取に使用される制御部などを構成する電子部品などが発熱する。
【０００４】
複合機の構造上、画像形成部のヒータを含む定着器と画像読取部の電子部品が近接して配置されることがある。このような配置において、印刷と画像の読取を同時に実行する複写などを行った場合、画像形成部の熱が画像読取部の電子部品に伝わり、電子部品の寿命を短くすることがあった。
【０００５】
また、印刷が終了すると画像形成部の送風ファンが停止する。送風ファンが停止したままで画像の読取を行うと、画像読取部の電子部品の温度がさらに上昇してしまうことになった。
【０００６】
特許文献１は、画像読取部のランプの点灯に伴う画像読取部の温度の上昇を予測して送風ファンを制御している。
【先行技術文献】
【特許文献】
【０００７】
【特許文献１】特許第３０７３２７１号公報
【発明の概要】
【発明が解決しようとする課題】
【０００８】
特許文献１に記載の発明は、画像読取部の温度の上昇を予測して送風ファンの制御を行うことができるが、画像形成部から画像読取部への熱の伝導に起因する画像読取部の電子部品の劣化を防止することができない。
【０００９】
本発明は以上の事情に鑑みてなれたものであり、その主要な目的は、画像形成部の温度が上昇していると予測されている場合に原稿の画像を読み取ったとしても、所定の場合には画像形成部を冷却することにより、画像形成部から画像読取部への熱の伝導を抑制して画像読取部の温度の上昇を抑えて、画像読取部内に配置された電子部品などの劣化を抑制することができる複合機を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の複合機が提供される。即ち、この複合機は、原稿の画像を読み取る画像読取部、画像読取部に隣接して配置され、冷却用の送風部を備え、記録紙に画像を形成する画像形成部、画像形成部による記録紙への画像の形成に関連する所定の条件が充足していると判断した場合に送風部を稼働させながら画像読取部に原稿の画像を読み取らせる制御部を備える。
【００１２】
この構成により、画像形成部の温度が上昇していると予測される所定の条件が充足されている場合に原稿の画像の読取を行っても、画像形成部から画像読取部への熱の伝導による画像読取部の内部に配置された電子部品などの劣化を送風部により抑制することができる。
【００１３】
上記の複合機は、以下のように構成されることが好ましい。即ち、この複合機は、計数部を更に備え、所定の条件の充足は、前記計数部に数値が設定されていることである。
【００１４】
この構成により、画像形成部の温度が上昇していると予測される所定の条件を数値化することができる。
【００１５】
上記の複合機は、以下のように構成されることが好ましい。即ち、記録紙への画像の形成が所定数以上になった場合、前記制御部は前記計数部に数値を追加する。
【００１６】
この構成により、画像の形成が所定数以上となり、画像形成部の温度が上昇していると予測される場合に、送風部を稼働させることができる。
【００１７】
上記の複合機は、以下のように構成されることが好ましい。即ち、記録紙への画像の形成が所定時間以上となった場合、前記制御部は前記計数部に数値を追加する。
【００１８】
この構成により、画像の形成が所定時間以上となり、画像形成部の温度が上昇していると予測される場合に、送風部を稼働させることができる。
【００１９】
上記の複合機は、以下のように構成されることが好ましい。即ち、複合機は、画像形成部が所定数以上の記録紙に画像を形成したときから時間の計時を開始する計時部と、計時部が計時した時間に対応する数値を記憶している記憶部を更に備える。制御部は、記憶部を参照して計時部が計時した時間に対応する数値を計数部に追加する。
【００２０】
この構成により、記録紙への画像の形成数が少なく画像形成部の温度があまり上昇していないと予測される場合に、計数部に数値を追加しなくてもよくなる。また、記録紙への画像の形成数に対応した数値を計数部に追加することができる。
【００２１】
上記の複合機は、以下のように構成されることが好ましい。即ち、複合機は、  画像形成部が所定時間以上記録紙に画像を形成したときから時間の計時を開始する計時部と、計時部が計時した時間に対応する数値を記憶している記憶部を更に備える。制御部は、記憶部を参照して計時部が計時した時間に対応する数値を計数部に追加する。
【００２２】
この構成により、記録紙への画像の形成時間が短く画像形成部の温度があまり上昇していないと予測される場合に、計数部に数値を追加しなくてもよくなる。また、記録紙への画像の形成時間に対応した数値を計数部に追加することができる。
【００２３】
上記の複合機は、以下のように構成されることが好ましい。即ち、画像読取部と画像形成部が稼働していない場合に制御部は計数部の数値を減少させる。
【００２４】
この構成により、画像読取部と画像形成部の内部の温度が低下していると予測される場合に、温度の低下を計数部に反映させることができる。
【図面の簡単な説明】
【００２５】
【図１】本発明の一実施の形態に係る複合機の概略全体図である。
【図２】本発明の一実施の形態に係る複合機のブロック図である。
【図３】本発明の一実施の形態に係る送風部の稼働の制御に関するフロー図である。
【図４】本発明の他の実施の形態に係る送風部の稼働の制御に関するフロー図である。
【発明を実施するための形態】
【００２６】
次に、図面を参照して本発明の実施形態を説明する。図１に示すのは、本発明の一実施の形態に係る複合機である。複合機は、画像読取機能と画像形成機能などを備えている。なお、本発明における前後、左右、上下とは、図１に示す交差矢印と、各矢印の近傍に表記した前後、左右、上下の表示に従う。
【００２７】
図１おいて複合機は、画像形成部１と、画像形成部１の上側に配置される画像読取部（以下、単にＦＢＳと言う）２とを備えている。画像形成部１には、感光体ドラム、転写ローラ及びトナー供給部などから構成され、記録紙に感光体ドラムに形成された潜像に対応してトナーを転写することにより記録紙に画像を形成する転写部１２や転写部１２で記録紙に転写されたトナーを記録紙に定着させる定着部１３などが設けられている。定着部１３は、ヒータ１４を内部に含む加熱ローラと加圧ローラから構成されている。このようにして記録紙に画像を形成（印刷）する。ＦＢＳ２の上面には図示しない原稿読取面として機能するプラテンガラスと開閉するプラテンカバー５が設けられ、プラテンカバー５の上部に自動原稿搬送装置（以下、単にＡＤＦと言う）３が備え付けられている。
【００２８】
ＦＢＳ２の前面には、各種の操作ボタンを備えた操作パネル２１（操作部）が設けてある。画像形成部１の下部には給紙カセット８が配置してあり、この給紙カセット８と、画像読取部２の下方の排紙部９との間の記録紙搬送路１０に沿って、転写部１２と定着部１３が配置してある。プラテンカバー５は、その後端に設けたヒンジ（図示省略）によって上下方向に回転することにより、ＦＢＳ２の上面に被さり、あるいはＦＢＳ２の上面を開放できる。
【００２９】
ＦＢＳ２の内部に、原稿の画像を読み取る画像読取ユニット２２などが配置されている。画像読取ユニット２２をコンタクトガラス２３の真下に位置させておくことにより、ＡＤＦ３によってコンタクトガラス２３の上面に沿って搬送される原稿の画像を読取ることができる。また、画像読取ユニット２２をプラテンガラスの左側縁から右側縁へ向かって走査することにより、プラテンガラスの上に載置された原稿の画像を読取ることができる。画像読取ユニット２２は、読み取った原稿の画像をデジタルデータ化して後述の制御部４に送信する。
【００３０】
また図２に示すように、本実施形態の複合機は、画像形成部１、ＦＢＳ２、プラテンカバー５などに加えて、制御部４と送風部（送風ファン）１５を備えている。制御部４は、複合機の各部（操作パネル２１、ＦＢＳ２、画像形成部１、画像読取部２等）とバスにより通信可能に構成されている。制御部４は、ＣＰＵ、ＲＡＭ、ＲＯＭなどのハードウェアと、前記ＲＯＭに記憶された制御プログラムなどのソフトウェアと、から構成されており、当該ハードウェアとソフトウェアが協働することで、複合機の各部の動作を制御するように構成されている。
【００３１】
送風ファン１５は、画像形成部１の例えば定着部１３の近くに配置される。送風ファン１５は、画像形成部１の外の空気を定着部１３に送風することにより定着部１３の温度を低下させて、画像形成部１の内部を冷却するように構成されている。
【００３２】
本実施形態の複合機は、電話回線を介してファクシミリを送受信可能であるファクシミリ送受信部１６を備えている。ファクシミリ送受信部１６は、ファクシミリを受信した場合、当該ファクシミリの画像のデータ（印刷対象データ）を生成する。ファクシミリ送受信部１６は、生成した印刷対象データを、制御部４に送信する。制御部４は受信した印刷対象データを画像形成部１に送信して印刷対象データを画像形成部１に印刷させることができる。
【００３３】
本実施形態の複合機は、ネットワーク通信部１７を備えている。ネットワーク通信部１７は、例えばＬＡＮ（ローカルエリアネットワーク）などのネットワークに接続される。制御部４は、ネットワーク通信部１７を介して、ＬＡＮに接続されている他のパーソナルコンピュータなどの機器との間で、印刷対象データや、その他のデータのやりとりを行うことができるように構成されている。制御部４は受信した印刷対象データを画像形成部１に送信して印刷対象データを画像形成部１に印刷させることができる。
【００３４】
制御部４は、図示しないセンサーとタイマーにより、画像形成部１による印刷数と印刷時間を認識している。
【００３５】
制御部４は後述の場合に数値を追加する計数部４１を備えている。また制御部４は、画像形成部１と画像読取部２が稼働していない場合、計数部４１の数値を減算するように構成されている。なお計数部４１は、制御部４とは別個独立の部材として構成してもよい。
【００３６】
制御部４は、計時部４２を備えている。計時部４２は、画像形成部１による印刷数が所定数以上または印刷時間が所定時間以上になった場合、画像形成部１による印刷の計時を開始する。計時部４２は、例えば、記録紙の搬送路などに設置された図示しないセンサーが所定時間記録紙の存在を検知しない場合に、計時部４２は計時を終了する。なお計時部４２は、制御部４とは別個独立の部材として構成してもよい。
【００３７】
制御部４は、記憶部４３を備えている。記憶部４３は計時部４２の計時時間に対応する数値を記憶している。制御部４は記憶部４３を参照して計時時間に対応する数値を計数部４１に追加する。記憶部４３は、計時部４２の計時時間に対応した数値を複数記憶しておいてもよい。その結果制御部４は、計時部４２の計時時間の長さに応じて適切に計数部４１に数値を追加することができるようになる。なお記憶部４３は、制御部４とは別個独立の部材として構成してもよい。
【００３８】
次に図３を用いて、本発明の第１の実施形態を説明する。
操作部２１からの指令、または、複合機とＬＡＮなどで接続された外部のパーソナルコンピュータなどからのプリント要求などにより、複合機にジョブが発生した場合、制御部４はそのジョブが画像形成部１の稼働を必要とするプリントジョブか否かを判断する（Ｓ１０１）。
【００３９】
プリントジョブの場合（Ｓ１０１、Ｙｅｓ）、画像形成部１は、プリントジョブの処理を開始する（Ｓ１０２）。具体的には、給紙カセット８から搬送路１０に記録紙を搬送しながら、転写部１２で感光体ドラムから記録紙に感光体ドラムの潜像に対応するようにトナーを転写して画像を記録紙に形成し、定着部１３においてヒータ１４で加熱された加熱ローラと加圧ローラにより記録紙にトナーを定着させる。トナーの定着後に記録紙は画像形成部１から排紙部９に排出されて、プリントジョブ（印刷）が完了する。
【００４０】
制御部４は、画像形成部１による記録紙への画像の形成が所定数または所定時間以上となったか否かを判断する（Ｓ１０３）。制御部４は、例えば、プリントジョブの内容の解析、または、記録紙の搬送路に設置されたセンサーにより、画像を形成された記録紙の数または画像形成（印刷）に必要とされた時間を認識する。
【００４１】
画像を形成された記録紙の数（印刷数）が所定数以上となった場合または画像形成時間（印刷時間）が所定時間以上となった場合（Ｓ１０３、Ｙｅｓ）、制御部４は、計数部４１に数値を追加する（Ｓ１０４）。制御部が計数部４１に追加する数値は任意であり、あらかじめ追加する数値を任意に決めておくことができる。計数部４１が数値を保持していない場合は、計数部４１が保持する数値は追加された数値となり、既に計数部４１が数値を保持している場合は、数値が既に計数部４１により保持されている数値に追加される。
【００４２】
制御部４による計数部４１への数値の追加が終了した場合（Ｓ１０４）、または、印刷数が所定数未満または印刷時間が所定時間未満の場合（Ｓ１０３、Ｎｏ）、制御部４はプリントジョブが終了したか否かを判断する（Ｓ１０５）。制御部４はプリントジョブが終了したと判断した場合（Ｓ１０５、Ｙｅｓ）、制御部４はプリントジョブに関連する複合機の動作を一旦終了させる。制御部４はプリントジョブが終了していないと判断した場合（Ｓ１０５、Ｎｏ）、制御部４はＳ１０３の判断に戻る。なお、プリントジョブの実行と関連して画像形成部１の内部の温度を低下させるために送風ファン１５を適宜稼働させてもよい。
【００４３】
ジョブがプリントジョブか否かの判断においてプリントジョブではないと判断された場合（Ｓ１０１、Ｎｏ）、制御部４は、そのジョブが画像読取部２の稼働を必要とするスキャンジョブか否かを判断する（Ｓ１０６）。
【００４４】
ジョブがスキャンジョブであると判断された場合（Ｓ１０６、Ｙｅｓ）、制御部４は、画像形成部１による記録紙への画像の形成に関連する所定の条件が充足しているか否かを判断する（Ｓ１０７）。所定の条件とは、例えば、計数部４１に数値が設定されていることである。計数部４１に数値が追加されて設定されている場合、所定数以上の印刷または所定時間以上の印刷がプリントジョブにおいて行われたことになるので、画像形成部１の内部は送風ファン１５により冷却する必要がある。反対に、計数部４１に数値が設定されていない場合、画像形成部１の内部を送風ファン１５により冷却する必要がないことになる。または、後述するがプリントジョブが行われない時間の経過により画像形成部１の内部を送風ファン１５により冷却する必要がなくなっていることになる。制御部４は、ジョブがスキャンジョブであると判断してから所定の条件が充足していると判断してもよいし、所定の条件が充足していると判断してからジョブがスキャンジョブであると判断してもよい。また、制御部４は、ジョブがスキャンジョブであるとの判断と所定の条件が充足しているとの判断を同時に行ってもよい
【００４５】
計数部４１に数値が設定されていて、制御部４が所定の条件が充足していると判断した場合（Ｓ１０７、Ｙｅｓ）、制御部４は送風ファン１５を稼働させながらスキャンジョブを行う（Ｓ１０８）。具体的には、自動原稿搬送部３により搬送される原稿がコンタクトガラス上を通過するときに、コンタクトガラスの下に配置された画像読取ユニット２２で原稿の画像を読み取る。または、プラテンガラス上に置かれた原稿の画像を、画像読取装置２２を左右方向に移動させながら読み取る。その結果、温度が上昇していると予測される画像形成部１の内部を送風ファン１５で冷却するので、例えば画像形成部１と画像読取部２が接する部分に配置される制御部４を構成する電子部品などに画像形成部１の熱が伝導することを抑制して、前記電子部品の劣化を抑制することができる。
【００４６】
計数部４１に数値が設定されていない場合（Ｓ１０７、Ｎｏ）、制御部４は送風ファン１５を稼働させずにスキャンジョブを行う（Ｓ１０９）。計数部４１に数値が設定されていないので、画像形成部１の内部を送風ファン１５により冷却する必要がないと想定される結果、送風ファン１５を不必要に稼働させない。
【００４７】
Ｓ１０８とＳ１０９の処理の後に、制御部４はスキャンジョブが終了したか否かを判断する（Ｓ１１０）。制御部４はスキャンジョブが終了したと判断した場合（Ｓ１１０、Ｙｅｓ）、制御部４はスキャンジョブに関連する複合機の動作を一旦終了させる。制御部４はスキャンジョブが終了していないと判断した場合（Ｓ１１０、Ｎｏ）、スキャンジョブの計数部４１に数値が設定されていたか否かに応じてスキャンジョブをＳ１０８またはＳ１０９の処理に戻す。
【００４８】
ジョブがスキャンジョブではないと判断された場合（Ｓ１０６、Ｎｏ）、制御部４は計数部４１に数値が設定されているか否かを判断する（Ｓ１１１）。数値が計数部４１に設定されていると判断された場合（Ｓ１１１、Ｙｅｓ）、制御部４は計数部４１の数値を減算する（Ｓ１１２）。制御部４が計数部４１から一度に減算する数値は、制御部４が計数部４１に追加する数値と同じであってもよいし、異なっていてもよい。その結果、スキャンジョブとヒータ１４の加熱を必要とするプリントジョブが実行されず、画像形成部１の内部の温度が低下していると想定される場合、制御部４は計数部４１の数値を減算していくので、スキャンジョブを実行するときに、送風ファン１５を不必要に稼働させる必要がなくなる。
【００４９】
次に本発明の第２の実施形態を、図４を用いて説明する。第１の実施形態の処理と同じ第２の実施形態の処理は、説明を簡略化する。
【００５０】
操作パネル２１からの指令、または、複合機とＬＡＮなどで接続された外部のパーソナルコンピュータなどからのプリント要求などにより、複合機にジョブが発生した場合、制御部４はそのジョブが画像形成部１の稼働を必要とするプリントジョブか否かを判断する（Ｓ２０１）。
【００５１】
プリントジョブの場合（Ｓ２０１、Ｙｅｓ）、画像形成部１は、プリントジョブを開始する（Ｓ２０２）。
【００５２】
制御部４は、画像形成部１による印刷が所定数または所定時間以上となったか否かを判断する（Ｓ２０３）。
【００５３】
印刷数が所定数以上となった場合または印刷時間が所定時間以上となった場合（Ｓ２０３、Ｙｅｓ）、制御部４は、画像形成部1による記録紙への画像の形成時間の計時を計時部４２に開始させる（Ｓ２０４）。
【００５４】
計時部４２による計時の開始（Ｓ２０４）後、若しくは、印刷数が所定数未満の場合または印刷時間が所定時間未満の場合（Ｓ２０３、Ｎｏ）、制御部４は、プリントジョブが終了したか否かを判断する（Ｓ２０５）。
【００５５】
制御部４はプリントジョブが終了したと判断した場合（Ｓ２０５、Ｙｅｓ）、計時部４２が計時していれば、制御部４は計時部４２の計時を終了させる。制御部４はプリントジョブが終了していない判断した場合（Ｓ２０５、Ｎｏ）、制御部４はプリントジョブをＳ２０３の判断に戻す。
【００５６】
プリントジョブが終了していた場合（Ｓ２０５、Ｙｅｓ）、制御部４は計時部４２による計時があったか否かを判断する。制御部４が計時部４２による計時があったと判断した場合（Ｓ２０６、Ｙｅｓ）、制御部４は、記憶部４３を参照し、計時部４２が計時した数値に対応する数値を取得して計数部４１に追加する（Ｓ２０７、Ｓ２０８）。この場合制御部４は、計時部４２が計時した数値に対応する記憶部４３に記憶されている数値を記憶部４３から取得してもよいし、計時部４２が計時した数値に対応する記憶部４３に記憶されている数値を自己生成してもよい。
【００５７】
制御部４による計数部４１への数値の追加が終了した場合（Ｓ２０８）、または、計時部４１による計時がなかった場合（Ｓ２０６、Ｎｏ）、制御部４はプリントジョブに関連する複合機の動作を一旦終了させる。
【００５８】
ジョブがプリントジョブか否かの判断においてプリントジョブではないと判断された場合（Ｓ２０１、Ｎｏ）、制御部４は、そのジョブが画像読取部２の稼働を必要とするスキャンジョブか否かを判断する（Ｓ２０９）。
【００５９】
ジョブがスキャンジョブであると判断された場合（Ｓ２０９、Ｙｅｓ）、制御部４は、画像形成部１による記録紙への画像の形成に関連する所定の条件が充足しているか否かを判断する（Ｓ２１０）。所定の条件とは、例えば、計数部４１に数値が追加されて設定されていることである。計数部４１に数値が設定されている場合（Ｓ２１０、Ｙｅｓ）、計時部４２の計時を必要とするプリントジョブが以前に行われたことになるので、画像形成部１の内部は送風ファン１５により冷却する必要がある。
【００６０】
計数部４１に数値が設定されている場合（Ｓ２１０、Ｙｅｓ）、制御部４は送風ファン１５を稼働させながらスキャンジョブを行う（Ｓ２１１）。その結果、温度が上昇していると予測される画像形成部１の内部を送風ファン１５で冷却するので、例えば画像形成部１と画像読取部２が接する部分に配置される制御部４を構成する電子部品などに画像形成部１の熱が伝導することを抑制して、前記電子部品の劣化を抑制することができる。
【００６１】
計数部４１に数値が設定されていない場合（Ｓ２１０、Ｎｏ）、制御部４は送風ファン１５を稼働させずにスキャンジョブを行う（Ｓ２１２）。計数部４１に数値が設定されていないので、画像形成部１の内部を送風ファン１５により冷却する必要がないと想定される結果、送風ファン１５を不必要に稼働させない。
【００６２】
Ｓ２１１またはＳ２１２の処理の後に、制御部４はスキャンジョブが終了したか否かを判断する（Ｓ２１３）。制御部４はスキャンジョブが終了したと判断した場合（Ｓ２１３、Ｙｅｓ）、制御部４はスキャンジョブに関連する複合機の動作を一旦終了させる。制御部４はスキャンジョブが終了していないと判断した場合（Ｓ２１３、Ｎｏ）、計数部４１に数値が設定されていたか否かに応じてスキャンジョブをＳ２１１またはＳ２１２の処理に戻す。
【００６３】
ジョブがスキャンジョブではないと判断された場合（Ｓ２０９、Ｎｏ）、制御部４は計数部４１に数値が設定されているか否かを判断する（Ｓ２１４）。数値が計数部４１に設定されていると判断された場合（Ｓ２１４、Ｙｅｓ）、制御部４は計数部４１の数値を減算する（Ｓ２１５）。その結果、スキャンジョブとヒータ１４の加熱を必要とするプリントジョブが実行されず、画像形成部１の内部の温度が低下していると想定される場合、制御部４は計数部４１の数値を減算していくので、スキャンジョブを実行するときに、送風ファン１５を不必要に稼働させる必要がなくなる。
【００６４】
制御部４が計数部４１の数値を減算した（Ｓ２１５）後、または、制御部４が計数部４１に数値が設定されていないと判断した（Ｓ２１４、Ｎｏ）後、制御部４はジョブに関連する複合機の動作を一旦終了させる。
【００６５】
以上に説明したように、本実施形態の複合機は、画像形成部１の内部が高温であると想定される場合に、画像形成部１の内部の熱が例えば画像形成部１と画像読取部２の境界に配置された電子部品に伝わって電子部品を劣化させることを、画像形成部１の送風ファン１５を稼働させることにより抑制することができる。
【符号の説明】
【００６６】
１    画像形成部
１５  送風部
２    画像読取部
３    自動原稿搬送部
４    制御部
４１  計数部
４２  記憶部
４３  計時部
【図１】
2015170940.tif 000003
【図２】
2015170940.tif 000004
【図３】
2015170940.tif 000005
【図４】
2015170940.tif 000006